(57)【要約】【課題】  本発明は、プラズマディスプレイパネルの効率を改善することができる駆動方法に関する。【解決手段】  本発明によるプラズマディスプレイパネルの駆動方法は、第１基板上に各々並べて形成される第１電極及び第２電極と、前記第１電極及び前記第２電極に交差して第２基板上に形成されるアドレス電極とを含むプラズマディスプレイパネルを駆動する方法であって、維持期間の間に前記第１電極と前記第２電極に電圧パルスを交互に印加する段階；及び前記電圧パルスが前記第１電極と前記第２電極のうちのいずれか一つの電極に印加される間に他の電極をフローティングさせた後、第１電圧レベルに維持する段階；を含む。【選択図】  図４
2005134875.tif 000002
【特許請求の範囲】
【請求項１】
第１基板上に各々並べて形成される第１電極及び第２電極と、前記第１電極及び前記第２電極に交差して第２基板上に形成されるアドレス電極と、を含むプラズマディスプレイパネルを駆動する方法において、
維持期間の間、
前記第１電極及び前記第２電極に電圧パルスを交互に印加する段階と；
前記電圧パルスが前記第１電極及び前記第２電極のうちのいずれか一つの電極に印加される間、他の電極をフローティングさせた後に第１電圧レベルに維持する段階と；
を含むプラズマディスプレイパネルの駆動方法。
【請求項２】
前記電圧パルスの上昇期間の間に前記他の電極をフローティングさせることを特徴とする請求項１に記載のプラズマディスプレイパネルの駆動方法。
【請求項３】
前記第１電極及び前記第２電極のうちの電圧パルスが印加されない電極をフローティングさせる時点は、前記パネルの負荷によって異なるように設定されることを特徴とする請求項１に記載のプラズマディスプレイパネルの駆動方法。
【請求項４】
前記電圧パルスが前記第１電極及び前記第２電極のうちのいずれか一つの電極に印加される前に他の電極をフローティングさせることを特徴とする請求項１に記載のプラズマディスプレイパネルの駆動方法。
【請求項５】
前記電圧パルスが前記第１電極及び前記第２電極のうちのいずれか一つの電極に印加された後に他の電極をフローティングさせることを特徴とする請求項１に記載のプラズマディスプレイパネルの駆動方法。
【請求項６】
前記フローティングさせた電極を前記第１電圧レベルに維持させる時点は、前記電圧パルスによって発生した１回の維持放電が終了した後の１μｓ以内であることを特徴とする請求項１に記載のプラズマディスプレイパネルの駆動方法。
【請求項７】
前記他の電極をフローティングさせた後、インダクタとの共振を通じて前記第１電圧に変更することを特徴とする請求項１に記載のプラズマディスプレイパネルの駆動方法。
【請求項８】
前記アドレス電極は前記維持期間の間は継続して接地電圧レベルを維持することを特徴とする請求項１に記載のプラズマディスプレイパネルの駆動方法。
【請求項９】
第１及び第２基板と；
前記第１基板に並べて形成される第１電極及び第２電極と；
前記第２基板に形成されるアドレス電極と；
リセット期間、アドレス期間、維持放電期間の間に前記第１電極、前記第２電極、及び前記アドレス電極に駆動信号を送る駆動回路と；を含み、
維持期間の間に前記駆動回路は、
前記第１電極と前記第２電極とに電圧パルスを交互に印加し、
前記電圧パルスが前記第１電極及び前記第２電極のうちのいずれか一つの電極に印加される間に他の電極をフローティングさせた後、第１電圧レベルに維持することを特徴とするプラズマディスプレイパネル。
【請求項１０】
前記維持期間の間、前記アドレス電極を第２電圧レベルに維持することを特徴とする請求項９に記載のプラズマディスプレイパネル。
【請求項１１】
前記第１電極及び前記第２電極のうちの電圧パルスが印加されない電極をフローティングさせる時点は、前記パネルの負荷によって異なるように設定されることを特徴とする請求項９に記載のプラズマディスプレイパネル。
【請求項１２】
前記電圧パルスが前記第１電極及び前記第２電極のうちのいずれか一つの電極に印加される前に他の電極をフローティングさせることを特徴とする請求項９に記載のプラズマディスプレイパネル。
【請求項１３】
前記電圧パルスが前記第１電極及び前記第２電極のうちのいずれか一つの電極に印加された後に他の電極をフローティングさせることを特徴とする請求項９に記載のプラズマディスプレイパネル。
【発明の詳細な説明】
【技術分野】
【０００１】
本発明は表示装置に係り、より詳しくは、効率の高いプラズマディスプレイパネル（ＰＤＰ）の駆動方法に関するものである。
【背景技術】
【０００２】
プラズマディスプレイパネルは、気体放電によって生成されたプラズマを利用して文字または映像を表示する平面表示装置であって、その大きさによって数十から数百万個以上の画素がマトリックス形態に配列されている。このようなプラズマディスプレイパネルは、印加される駆動電圧波形の形態と放電セルの構造により直流型（ＤＣ型）と交流型（ＡＣ型）とに区分される。
【０００３】
図１は、交流型プラズマディスプレイパネルの部分斜視図である。
【０００４】
図１に図示したように、第１ガラス基板１の面上には、誘電体層２及び保護膜３で覆われた走査電極４と維持電極５とが対をなして平行に形成される。第２ガラス基板６の面上には、絶縁体層７で覆われた複数のアドレス電極８が設置される。隣接するアドレス電極８の間にある絶縁体層７の表面上には、アドレス電極８と平行に隔壁９が形成されている。また、絶縁体層７の表面及び隔壁９の両側面に蛍光体１０が形成されている。第１ガラス基板１と第２ガラス基板６とは、走査・維持電極対とアドレス電極８とが直交するように放電空間１１を隔てて対向して配置されている。アドレス電極８と走査・維持電極対との交差部にある放電空間が放電セル１２を形成する。
【０００５】
図２は、プラズマディスプレイパネルの電極配列図を示す。
【０００６】
図２に図示したように、ＰＤＰ電極はｍ×ｎのマトリックス構成を有しており、列方向に伸びるアドレス電極（Ａ１〜Ａｍ）が行方向に順次配列されており、行方向に伸びるｎ行の走査電極（Ｙ１〜Ｙｎ）及び維持電極（Ｘ１〜Ｘｎ）が列方向に交互に順次配列されている。以下、走査電極を“Ｙ電極”、維持電極を“Ｘ電極”、アドレス電極を“Ａ電極”と称する。図２に示された放電セル１２は、図１に示された放電セル１２に対応する。
【０００７】
図３は、従来のプラズマディスプレイパネルの駆動波形を示したものである。
【０００８】
図３に示すように、従来のＰＤＰ駆動方法によれば、フレーム期間を構成する各サブフィールド期間は、リセット期間、アドレス期間、維持期間から構成される。
【０００９】
リセット期間は、以前のサステイン放電によって形成された壁電荷状態を消去し、次のアドレシング動作が円滑に行われるようにするために各セルの状態を初期化させる期間である。アドレス期間は、ｍ×ｎの画素(セル)を備えるパネルの中で、点灯するセルと点灯しないセルとを選別して、点灯するセルに壁電荷を蓄積する動作（アドレシングという）を行う期間である。維持期間は、アドレシングされたセルに実際に画像を表示するための放電を行わせる期間である。維持期間になると、Ｘ電極とＹ電極とにサステインパルスと接地電圧とが各々交互に印加されて、交流駆動のサステイン放電が発生する。
【００１０】
このような従来の駆動方法は、Ｘ電極とＹ電極とにサステインパルスを交互に印加し、サステインパルスが印加されていない電極を接地電圧レベルに維持させることによって、１回のサステインパルスにより１回の強い維持放電を発生させる。維持期間で発生する強い維持放電は、過剰なプライミング電荷を生成し、このようなプライミング電荷は再び利用されることなく消滅するので、プラズマディスプレイパネルの効率が低くなる問題がある。
【発明の開示】
【発明が解決しようとする課題】
【００１１】
本発明が目的とする技術的課題は、維持放電時に、１度の放電で発生するプライミング電荷を減少させ、発生したプライミング電荷を再利用することによってプラズマディスプレイパネルの効率を増加させ、電力消費を減少させることである。
【課題を解決するための手段】
【００１２】
前記課題を達成するために本発明の一つの特徴によるプラズマディスプレイパネルの駆動方法は、第１基板上に各々並べて形成される第１電極及び第２電極と、前記第１電極及び前記第２電極に交差して第２基板上に形成されるアドレス電極と、を含むプラズマディスプレイパネルを駆動する方法であって、維持期間の間、前記第１電極及び前記第２電極に電圧パルスを交互に印加する段階と；前記電圧パルスが前記第１電極及び前記第２電極のうちのいずれか一つの電極に印加される間、他の電極をフローティングさせた後に第１電圧レベルに維持する段階と；を含む。
【００１３】
本発明の一つの特徴によるプラズマディスプレイパネルは、第１及び第２基板と；前記第１基板に並べて形成される第１電極及び第２電極と；前記第２基板に形成されるアドレス電極と；リセット期間、アドレス期間、維持放電期間の間に前記第１電極、前記第２電極、及び前記アドレス電極に駆動信号を送る駆動回路と；を含み、維持期間の間に前記駆動回路は、前記第１電極と前記第２電極とに電圧パルスを交互に印加し、前記電圧パルスが前記第１電極及び前記第２電極のうちのいずれか一つの電極に印加される間に他の電極をフローティングさせた後、第１電圧レベルに維持する。
【発明の効果】
【００１４】
本発明によれば、維持期間において、サステインパルスが印加されていない電極をフローティングさせた後に低い電圧に維持することにより、一つのサステインパルスで二回の維持放電を発生させることができる。
【００１５】
したがって、維持放電において、１度の放電によるプライミング電荷の発生を減少させ、１回の放電によって発生したプライミング電荷を２回の放電で利用することによってプラズマディスプレイパネルの効率を増加させ、消費電力を減少させることができる。
【発明を実施するための最良の形態】
【００１６】
以下、本発明の一実施例を図面を参照して詳細に説明する。
【００１７】
以下の説明で、ある部分が他の部分に連結されているとする時、これは直接的に連結されている場合だけでなく、他の素子を隔てて電気的に連結されている場合も含む。また、本発明を明確に説明するために説明と関係ない部分は図面から省略しており、明細書全体を通じて類似した部分については同一な図面符号を付けた。
【００１８】
さらに、以下の説明において、壁電荷とは、各電極の近くにある放電セルの壁（例えば、誘電体層）に形成されて電極に蓄積される電荷のことをいう。このような壁電荷は、実際は電極自体に接触しないが、ここでは、壁電荷が電極に「形成される」、「蓄積される」または「蓄積される」のように説明される。また、壁電圧とは、壁電荷によって放電セルの壁に形成される電位差のことをいう。
【００１９】
図４は、本発明の一実施例によるプラズマディスプレイパネルの駆動波形を示したものである。
【００２０】
図４に示されているように本発明の一実施例によれば、一つのサブフィールドは、リセット期間、アドレス期間、及びサステイン期間を含む。
【００２１】
リセット期間は、以前のサステイン放電によって形成された壁電荷状態を消去し、次のアドレシング動作が円滑に行われるようにするために各セルの状態を初期化させる期間である。
【００２２】
アドレス期間は、パネルで点灯するセルと点灯しないセルとを選択して、点灯するセル（アドレシングされたセル）に壁電荷を蓄積する動作を行う期間である。
【００２３】
維持期間は、アドレシングされたセルに実際に画像を表示するための放電を行う期間であって、維持期間になると、Ｘ電極とＹ電極とにサステインパルスが交互に印加される。この時、Ｘ電極及びＹ電極のうちのサステインパルスが印加されていない電極は、回路から切り離されてフローティング状態になった後に低い電圧レベルに維持されるように、接地線など低電圧電源線に接続される。
【００２４】
図４では、維持期間においてＸ電極及びＹ電極を各々零ボルトに維持した状態でＶｓ電圧を有するサステインパルスをＸ電極とＹ電極とに交互に印加する場合を示す。ここで、Ｖｓ電圧は、既にアドレシングされたセルにおいて維持放電（発光放電）を起こすことができる最低電圧レベルよりも若干高い電圧である。
【００２５】
図５は、図４に示されたプラズマディスプレイパネルの駆動波形中の維持期間の一部の時間軸を抽出拡大して示したものである。
【００２６】
図５に示されているように、まずＸ電極に、最高値がＶｓに達する電圧を有するサステインパルスを印加し、サステインパルスによる発光放電が発生する前にＹ電極をフローティングさせた。このため、Ｙ電極には破線で示す低電圧パルスが誘起され、サステインパルスが最高電圧Ｖｓに到達する頃に最初の弱い放電が生じ、次いで、Ｙ電極を低電圧電源に接続した直後に二度目の放電が生じる。
【００２７】
一般に、サステインパルスをＸ電極またはＹ電極に印加する際は、無効電力を再使用するために、インダクタ及び放電セルで形成されるキャパシタンス成分間の共振を利用する電力回収回路を用い、このような電力回収回路は、米国登録特許第４,８６６,３４９号、第５,０８１,４００号、及び米国公開特許第２００３−００８０９２５号などに開示されている。電力回収回路が用いられる場合にサステインパルスは、零ボルトからＶｓまで所定範囲の変化速度を保って上昇する。ここで所定範囲とは、回路設計によって想定される範囲のことをいう。
【００２８】
例えば、Ｘ電極にサステインパルスが印加されて、電圧が零ボルトからＶｓまで上昇すると、フローティングされたＹ電極に電圧が誘起され、その電圧レベルはＸ電極の電圧レベルに伴って上昇する。各瞬間におけるＹ電極の誘起電圧は、Ｘ，Ｙ，Ａ各電極間の静電容量および接続されている回路要素の状況で決定される。簡単に考えると、Ａ電極が一定の電圧を維持しているため、Ｙ電極の誘起電圧はＸ電極の電圧上昇率よりも低い上昇率で上昇する。つまり、プラズマディスプレイパネルにおいてＸ電極、Ｙ電極、及びＡ電極のうちの２個の電極間では全てキャパシタンス成分が形成されるので、Ｘ電極が上昇する時にＡ電極が一定の電圧に維持されていれば、Ｙ電極はＸ電極よりは低い上昇率で上昇する。
【００２９】
したがって、Ｘ電極とＹ電極との間の電圧差が徐々に大きくなり、このような電圧差がアドレス期間で、アドレシングによって形成された壁電荷による壁電圧と共に放電開始電圧を超えると、１次放電が発生する。
【００３０】
この時、Ｙ電極をフローティングさせる期間は、サステインパルスの上昇期間全体であってもよい。または、Ｘ電極電圧の上昇時点からフローティングさせず、Ｘ電極電圧の上昇によって維持放電が発生する直前、あるいは維持放電が発生した後の全体放電の５０％を越えない時点からＹ電極をフローティングさせてもよい。
【００３１】
Ｙ電極をフローティングさせた後にＹ電極に零ボルトを印加すると、Ｘ電極とＹ電極との間の電圧差が急激に大きくなる。この時、Ｘ電極とＹ電極との間の電圧差が放電開始電圧を超えるようになり、放電セルでは２次放電が発生する。
【００３２】
ここで、フローティング後の低い電圧への変更は、１回の維持放電が終了した後に１μｓ以内にするのが好ましい。フローティングによって増加したＹ電極電圧を零ボルトに減少させる場合、前述した電力回収回路の共振を使用することもできる。
【００３３】
このように、サステインパルスをＸ電極とＹ電極とに交互に印加し、サステインパルスが印加されていない電極をフローティングさせた後に低い電圧に変更する過程を繰り返せば、維持放電を持続的に行うことができる。
【００３４】
したがって、本発明の一実施例によれば、一つの電極にサステインパルスを印加する間に他の電極をフローティングさせ、低い電圧レベルに維持することによって、２回の放電を発生させることができる。この時に発生する放電はその強さが弱いので、従来の放電に比べてプライミング電荷の発生が少なく、１回の放電で発生したプライミング電荷が２回の放電に用いられ、プラズマディスプレイパネルの効率が良くなる。
【００３５】
本発明の他の実施例によれば、サステインパルスが印加されていない電極のフローティング時点を、パネルの負荷に応じて変化させるように設定することができる。
【００３６】
つまり、同時に点灯するセルが少なくて負荷が小さい場合には、フローティング電極の誘起電圧を小さくして、１回の放電を大きくすることができ、２回の放電が発生しないようにすることができる。したがって、Ｘ電極に維持放電パルスが印加される場合、維持放電パルスが印加される初期にＹ電極をフローティングにして、Ｘ電極とＹ電極との間の電位差を効果的に減少させることができる。
【００３７】
また、パネル中に点灯するセルが多くて負荷が大きな場合には、フローティングにより反対側電極の電圧変動が大きくなるので、１回の放電が過度に小さく発生することがある。したがって、負荷による放電の強さの偏差を防止するためには、Ｘ電極にサステインパルスが印加された後、一定の時間が過ぎた後にＹ電極をフローティングさせるのが好ましい。
【００３８】
以上、本発明の一実施例によるプラズマディスプレイパネルの駆動方法を説明したが、前記説明された実施例は本発明の概念が最適に適用された場合を説明しており、本発明の概念が前記実施例に限定されるわけではなく、本発明をそのまま利用して多様な変形された実施例を実現することができる。
【００３９】
また、前記説明では、Ｘ電極に維持放電パルスが印加され、Ｙ電極をフローティングさせた後に低い電圧を印加することを説明したが、これは説明の便宜のためのものであって、Ｘ電極とＹ電極との間に交互に維持放電パルスが印加され、Ｙ電極に維持放電パルスが印加される期間では、Ｘ電極をフローティングさせた後に低い電圧に維持することによって２回の放電を発生させることができ、実施例によって、１回の強い放電と２回の弱い放電とを全て発生させることができるように駆動できるのは当業者に自明なことである。
【００４０】
本発明の一実施例によれば、１回の大きい放電ではなく、２回の小さな放電をさせるので、プライミング電荷発生が少なく、また、１回の放電で発生したプライミング電荷が２回の放電に用いられるので、消費電力の１５％を減少させることができる。
【図面の簡単な説明】
【００４１】
【図１】交流型プラズマディスプレイパネルの部分斜視図である。
【図２】プラズマディスプレイパネルの電極配列図である。
【図３】従来のプラズマディスプレイパネルの駆動波形図である。
【図４】本発明の一実施例によるプラズマディスプレイパネルの駆動波形図である。
【図５】図４に示されたプラズマディスプレイパネルの駆動波形中の維持期間の一部を拡大して示した図である。
【符号の説明】
【００４２】
１  第１ガラス基板
２  誘電体層
３  保護膜
４  走査電極
５  維持電極
６  第２ガラス基板
７  絶縁体層
８  アドレス電極
９  隔壁
１０  蛍光体
１１  放電空間
１２  放電セル
【図１】
2005134875.tif 000003
【図２】
2005134875.tif 000004
【図３】
2005134875.tif 000005
【図４】
2005134875.tif 000006
【図５】
2005134875.tif 000007